(57)【要約】  データ送信のシステム及び方法が開示される。実施形態において、少なくとも２つの送信機が選択的にアクティブにされ、少なくとも２つの別個の回線によってデータを送信するために直列インターフェースで非アクティブにされる。
2011517159.tif 000002
【特許請求の範囲】
【請求項１】
第１の送信回線に連結した第１の送信機と、
第２の送信回線に連結した第２の送信機と、
第３の送信回線に連結した第３の送信機と
を具備し、
３つの送信機のうちの２つは導電性であり、
前記３つの送信機のうちの少なくとも１つは導電性でないシステム。
【請求項２】
各送信機は、
３状態デバイスである、請求項１記載のシステム。
【請求項３】
データエンコーダが、
各送信機に連結される、請求項１記載のシステム。
【請求項４】
前記送信回線は、
Ｙ型終端をもつ、請求項１記載のシステム。
【請求項５】
前記送信回線は、
コモンモード終端をもつ、請求項１記載のシステム。
【請求項６】
前記送信回線は、
フレックスケーブルを具備する、請求項１記載のシステム。
【請求項７】
前記送信回線のうちの少なくとも２つは、
ツイストペアを含む、請求項１記載のシステム。
【請求項８】
前記送信回線は、
ツイストトリオを具備する、請求項１記載のシステム。
【請求項９】
ディスプレイと、
処理回路と、
前記処理回路及び前記ディスプレイに連結した直列送信手段と
を具備し、
前記直列送信手段は、
少なくとも３つの送信機からの少なくとも３つの線によって信号を受信するように構成される少なくとも３つの受信機を含み、
前記送信機のうちの少なくとも２つはアクティブであり、
少なくとも１つの送信機は非アクティブである電子デバイス。
【請求項１０】
前記少なくとも３つの線は、
Ｙ型終端をもつ、請求項９記載の電子デバイス。
【請求項１１】
前記直列送信手段は、
前記ディスプレイにマルチメディアデータを提供するように適合された直列インターフェースを含む、請求項９記載の電子デバイス。
【請求項１２】
マイクロフォンと、
スピーカと、
前記処理回路に連結したワイヤレストランシーバと、
前記ワイヤレストランシーバに連結したアンテナと
を更に具備する、請求項９記載の電子デバイス。
【請求項１３】
イメージ検出デバイスと、
データ処理回路と、
前記データ処理回路及び前記イメージ検出デバイスに連結した直列インターフェースと
を具備し、
前記直列インターフェースは、
少なくとも２つのアクティブな送信機及び少なくとも１つの非アクティブな送信機を含む電子デバイス。
【請求項１４】
前記イメージ検出デバイスは、
前記データ処理回路から遠く離れている、請求項１３記載の電子デバイス。
【請求項１５】
前記直列インターフェースは、
前記送信機の少なくとも２つに連結した同軸ケーブルを含む、請求項１３記載の電子デバイス。
【請求項１６】
前記直列インターフェースは、
前記イメージ検出デバイスと前記データ処理回路との間でビデオデータを送信するように構成される、請求項１３記載の電子デバイス。
【請求項１７】
少なくとも２つの別個の回線によってデータを送信するために直列インターフェースで少なくとも１つの送信機を非アクティブにすることと少なくとも２つの送信機を選択的にアクティブにすることを具備する方法。
【請求項１８】
複数の予め定義された状態のうちの少なくとも１つの予め定義された状態に受信信号をエンコードすることを更に具備し、
前記予め定義された状態の各々は、
第１の送信機での第１の極性、第２の送信機での第２の極性及び第３の送信機での非アクティブ状態の異なる組み合わせを表す、請求項１７記載の方法。
【請求項１９】
前記複数の予め定義された状態は、
前記第１の送信機で前記第１の極性、前記第２の送信機で前記第２の極性及び前記第３の送信機で非アクティブをもつ第１の状態と、
前記第１の送信機で前記第２の極性、前記第２の送信機で前記第１の極性及び前記第３の送信機で非アクティブをもつ第２の状態と、
前記第１の送信機で非アクティブ、前記第２の送信機で前記第１の極性及び前記第３の送信機で前記第１の極性をもつ第３の状態と、
前記第１の送信機で非アクティブ、前記第２の送信機で前記第２の極性及び前記第３の送信機で前記第１の極性をもつ第４の状態と、
前記第１の送信機で前記第１の極性、前記第２の送信機で非アクティブ及び前記第３の送信機で前記第２の極性と、
前記第１の送信機で前記第２の極性、前記第２の送信機で非アクティブ及び前記第３の送信機で前記第１の極性をもつ第６の状態と
を含む、請求項１８記載の方法。
【請求項２０】
前記複数の予め定義された状態は、
第４の送信機が非アクティブである状態を含む、請求項１８記載の方法。
【請求項２１】
自己推移状態を妨げることによって前記少なくとも２つの別個の回線によって送信される、前記データ内にクロック信号を埋め込むことを更に具備する、請求項１８記載の方法。
【請求項２２】
第１の線をドライブする第１の送信機、第２の線をドライブする第２の送信機及び第３の線をドライブする第３の送信機を含む送信機の組からのデータ信号を受信することを具備し、
前記データ信号が、
前記第１の送信機からの第１の信号及び前記第２の送信機からの第２の信号を備え、
前記第３の送信機が、
非アクティブである方法。
【請求項２３】
前記第１の信号は、
第１の極性をもつ電流を含み、
前記第２の信号は、
第２の極性をもつ電流を含む、請求項２２記載の方法。
【請求項２４】
前記データ信号と前記第２のデータ信号との間での状態推移を決定することと、
前記状態推移に基づいてデータ値をデコードすることと
を更に具備する、請求項２２記載の方法。
【発明の詳細な説明】
【技術分野】
【０００１】
本開示は、多元送信機を用いるデータ送信のシステム及び方法に一般的に関連する。
【背景技術】
【０００２】
技術の進歩は、より小さく、より力強いパーソナル・コンピューティング・デバイスに帰着してしまった。例えば、現在、小型であり、軽量であり、且つユーザによって容易に運ばれる、ポータブルワイヤレス電話、携帯情報端末（ＰＤＡ）及びページングデバイスのようなワイヤレス・コンピューティング・デバイスを含む種々のポータブル・パーソナル・コンピューティング・デバイスが存在する。特に、携帯電話及びＩＰ電話のようなポータブルワイヤレス電話は、ワイヤレスネットワークを通じて、データパケット及び音声を伝達し得る。更に、多くのこのようなワイヤレス電話は、そこに組み込まれるその他のタイプのデバイスを含む。例えば、ワイヤレス電話は、ディジタル・スチールカメラ、ディジタル・ビデオカメラ、ディジタルレコーダ及びオーディオファイル再生機も含む。また、このようなワイヤレス電話は、インターネットにアクセスするために用いられ得る、ウェブ・ブラウザ・アプリケーションのようなソフトウェアアプリケーションを含む実行可能命令を処理し得る。このように、これらワイヤレス電話は、重要なコンピューティング能力を含み得る。
【０００３】
多量のデータは、このようなポータブルデバイスに転送されてもよい。例えば、マルチメディアデータは、デバイス内のメモリから引き出され、ディジタルプロセッサによって処理され、ディスプレイに提供されてもよい。データ転送は、並列入力によってデータを受信し、他と異なる信号を送るように、一またはそれ以上の回線によって直列的にデータを送信する、シリアライズ／デシリアライズ（“ＳｅｒＤｅｓ”）ユニットによって送信段階で実行されてもよい。受信段階は、直列データを並列データに変換し、受信してもよい。
【発明の概要】
【０００４】
特定の実施形態において、第１の送信線に連結した第１の送信機、第２の送信線に連結した第２の送信機及び第３の送信線に連結した第３の送信機を含むシステムが開示される。動作の間中、３つの送信機のうちの２つは導電性があり、３つの送信機うちの少なくとも１つは導電性がない。非導電性送信機は、高インピーダンス状態にあってもよい。
【０００５】
別の特定の実施形態において、イメージ検出デバイス及びデータ処理回路を含む電子デバイスが開示される。電子デバイスは、データ処理回路及びイメージ検出デバイスに連結した直列インターフェースも含む。直列インターフェースは、少なくとも３つの送信機を含む。
【０００６】
別の特定の実施形態において、電子デバイスは、ディスプレイ及び処理回路を含む。電子デバイスは、処理回路及びディスプレイに連結した直列送信手段を更に含む。直列送信手段は、３つの送信機から３つの線によって信号を受信するように構成された少なくとも３つの受信機を含む。
【０００７】
別の特定の実施形態において、少なくとも２つの別個の回線によってデータを送信するために直列インターフェースで少なくとも１つの送信機を非アクティブにすることと少なくとも２つの送信機を選択的にアクティブにすることを含む、方法が開示される。
【０００８】
別の特定の実施形態において、第１の回線をドライブする第１の送信機、第２の回線をドライブする第２の送信機及び第３の回線をドライブする第３の送信機を含む、送信機の組からデータ信号を受信することを含む、方法が開示される。データ信号は、第１の送信機からの第１の信号及び第２の送信機からの第２の信号を含む。第３の送信機は非アクティブである。
【０００９】
開示した実施形態によって提供される特定の利点は、少なくとも１つの送信機が非アクティブであることにより減少した電力消費をもって、データが３つまたはそれ以上の回線を用いて送信されてもよいことである。電力消費は、より低い渦流コンデンサによっても減らされる。別の特定の利点は、多元送信回線のコモンモード終端からの結果として信号ノイズを減らす。
【００１０】
本開示のその他の様態、利点及び特徴は、図面の簡単な説明、発明を実施するための形態及び特許請求の範囲といった以下のセクションを含む、全アプリケーションの検討の後に、明白になるであろう。
【図面の簡単な説明】
【００１１】
【図１】図１は、多元送信機システムの特定の例証となる実施形態の図である。
【図２】図２は、多元送信機システムの別の例証となる実施形態の図である。
【図３】図３は、多元送信機システムを含む電子デバイスの特定の例証となる実施形態のブロック図である。
【図４】図４は、多元送信機システムを含む電子デバイスの別の例証となる実施形態のブロック図である。
【図５】図５は、多元送信機システムの動作状態の特定の例証となる実施形態の一般的な図である。
【図６】図６は、多元送信機システムを動作させる方法の特定の例証となる実施形態のフロー図である。
【図７】図７は、多元送信機からデータ信号を受信する方法の特定の例証となる実施形態のフロー図である。
【発明を実施するための形態】
【００１２】
図１を参照して、多元送信機システムの特定の例証となる実施形態の図が描かれ、１００に一般的に示される。第１の代表入力１０２、第２の代表入力１０４及び第３の代表入力１０６が、データエンコーダ１０８に提供される。データエンコーダ１０８は、第１の送信機１２０、第２の送信機１２２及び第３の送信機１２４に連結される。第１の送信機１２０は、第１の送信回線１３０に連結される。第２の送信機１２２は、第２の送信回線１３２に連結される。第３の送信機１２４は、第３の送信回線１３４に連結される。送信回線１３０，１３２，１３４は、フレックスケーブル、ツイストトリオ、その他のタイプの導伝線あるいは線、またはそれらの任意の組み合わせを含んでもよい。例えば、送信回線１３０，１３２，１３４の少なくとも２つが、ツイストペアまたは同軸ケーブルを含んでもよい。送信回線１３０，１３２，１３４は、各々の送信回線１３０，１３２，１３４がそれぞれのノード１４０，１４２，１４４に連結したコモンモードＹ型終端をもち、それぞれのノード１４０，１４２，１４４は抵抗器１４１，１４３，１４５によって第４のノード１４６に連結される。第４のノード１４６は、コンデンサ１４８によってアースに容量的に連結される。
【００１３】
第１のノード１４０は、第１の受信機１５０の入力１５４及び第２の受信機１６０の反転入力１６２に連結される。第２のノード１４２は、第１の受信機１５０の反転入力１５２及び第３の受信機１７０の入力１７４に連結される。第３のノード１４４は、第２の受信機１６０の入力１６４及び第３の受信機１７０の反転入力１７２に連結される。受信機１５０，１６０，１７０の各々は、それぞれ出力１５６，１６６，１７６をデコーダ１８０に提供する。デコーダ１８０は、代表出力１８２をもつ。
【００１４】
各送信機１２０，１２２，１２４は、データエンコーダ１０８からの制御信号に反応する３つの状態デバイスである。特定の実施形態において、各送信機１２０，１２２，１２４は、第１のシグナリング状態、第２のシグナリング状態または非アクティブ状態で動作する。データエンコーダ１０８で受信したデータは、受信機１５０，１６０，１７０への入力に連結されるノード１４０，１４２，１４４での電圧レベルによって検出可能である送信機状態の特有の組み合わせによって表されてもよい。特定の実施形態において、システム１００は、減少した電力シグナリングのために構成される。なお、送信回線１３０，１３２，１３４によって送信した各データシンボルについて、３つの送信機１２０，１２２，１２４のうちの多くて２つは導電性があり、３つの送信機１２０，１２２，１２４のうちの少なくとも１つは導電性がない。
【００１５】
動作の間中、特定の実施形態において、入力１０２−１０６によって受信したデータは、３つの送信機１２０，１２２，１２４の動作状態に一致するシンボルとして送信される。各シンボルは、対応する送信回線１３０，１３２，１３４を流れる電流を制限するために、送信機１２０，１２２，１２４のうちの１つが電流を吐き出し（ソースする）、送信機１２０，１２２，１２４の別の１つが電流を吸い込み（シンクする）、送信機１２０，１２２，１２４の残りの１つがハイインピーダンス状態となる動作状態に一致し得る。また、各シンボルは、このような動作状態間の推移として表されてもよい。このような動作状態または推移が６つ存在する。その結果、システム１００は、シンボル毎に約２．５ビットのデータまたは回線毎に約０．８３ビットを送信し得る。図５は、動作状態及び推移の例証となる例を描く。
【００１６】
特定の実施形態において、送信回線１３０，１３２，１３４のそれぞれに通ずる電流ＩＡ，ＩＢ，ＩＣは、ｉ、−ｉまたは０にほぼ等しい。例えば、送信回線１３０，１３２，１３４のインピーダンスＺ１，Ｚ２，Ｚ３及びＲ１，Ｒ２，Ｒ３はＺ０にほぼ等しく、各ノード１４０，１４２，１４４での電圧は各シンボルについて予想可能である。また、受信機１５０，１６０，１７０は、例えば、ある一定のマルチレベル・シグナリング・システムで要求されてもよいような、基準値を決定するためのトレーニング周期を要求することなく、結果として生じる入力値に反応するように構成されてもよい。表１は、動作値の例を例証する。ＶＡＢは、ノード１４０とノード１４２との間の電圧差であり、ＶＢＣは、ノード１４２とノード１４４との間の電圧差であり、ＶＣＡは、ノード１４４とノード１４０との間の電圧差である。Ｘ，Ｙ，Ｚは、それぞれ受信機出力１５６，１６６，１７６に一致し、名称は６つの動作状態の各々を識別するためのラベルである。
【表１】
2011517159.tif 000003
【００１７】
多元送信機システム１００は、ルックアップ表、ハードウェア、処理アルゴリズムまたはそれらの任意の組み合わせを用いてデータエンコーダ１０８及びデコーダ１８０で実行されてもよい直接データエンコーディング及びデコーディングのような利点を提供する。データ送信は、任意の与えられた時間でアクティブになる３つの送信機のうちの２つだけによる電力節約をもって、回線毎に０．８３ビット及びシンボル毎に約２．５ビットで３つの回線を通じて実行されてもよい。更に、コモンモードノイズ排除は、デルタ型終端構成のようなその他の構成と比較して、送信回線１３０，１３２，１３４のコモンモードＹ型終端により高められる。
【００１８】
３つの送信回線のみが描かれるが、システム１００の利点は４つまたはそれ以上の送信回線及び送信機を用いて得られる可能性がある。例えば、それぞれが４つの送信回線のうちの１つをドライブし、状態毎に２つの送信機が非アクティブとなる１２つの別個の状態の４つの３状態送信機を用いることは各シンボルを送信するための同じ電力消費で、回線毎に約０．９ビット及びシンボル毎に約３．６ビットになる。更に、整合された抵抗器をもつシングルレベルシグナリングのみが記述されるが、減少した電力動作の利点、高まったコモンモードノイズ排除、またはこれらの両者は、その他の抵抗器及びシグナリングタイプをもって得られてもよい。加えて、３つの代表入力１０２−１０６及び代表出力１８２が描かれるが、設計目的、製造のコスト、その他の要因あるいは基準、またはそれらの任意の組み合わせによって決定されるような、多くの並列入力回線及び出力回線が用いられてもよい。
【００１９】
図２を参照して、多元送信機システムの別の例証となる実施形態のブロック図が描かれ、２００に一般的に示される。第１のデバイス２１０は、第１の入力２１１及び第２の入力２１２を受信するために連結され、出力２１３を提供するために連結される。第２のデバイス２２０は、第１の入力２２１及び第２の入力２２２を受信するために連結され、出力２２３を提供するために連結される。第３のデバイス２３０は、第１の入力２３１及び第２の入力２３２を受信するために連結され、出力２３３を提供するために連結される。例証となる実施形態において、デバイス２１０，２２０，２３０は、図１に例証した送信機１２０，１２２，１２４であってもよい。
【００２０】
第１のデバイス２１０の第１の入力２１１は、ｐチャネル電界トランジスタ（ｐチャネルＦＥＴ）２１４のゲートのような第１のスイッチング要素の制御端子に連結される。第１のデバイス２１０の第２の入力２１２は、ｎチャネル電界トランジスタ（ｎチャネルＦＥＴ）２１５のゲートのような第２のスイッチング要素の制御端子に連結される。第１のバイアストランジスタ２１７のような第１のバイアス要素は、電源とｐチャネルＦＥＴ２１４との間で連結される。第２のバイアストランジスタ２１８のような第２のバイアス要素は、ｎチャネルＦＥＴ２１５とアースとの間で連結される。
【００２１】
第２のデバイス２２０の第１の入力２２１は、ｐチャネルＦＥＴ２２４のゲートのような第１のスイッチング要素の制御端子に連結される。第２のデバイス２２０の第２の入力２２２は、ｎチャネルＦＥＴ２２５のゲートのような第２のスイッチング要素の制御端子に連結される。ｐチャネルＦＥＴ２２４及びｎチャネルＦＥＴ２２５は、出力２２３に連結される。第１のバイアストランジスタ２２７のような第１のバイアス要素は、電源とｐチャネルＦＥＴ２２４との間で連結される。第２のバイアストランジスタ２２８のような第２のバイアス要素は、ｎチャネルＦＥＴ２２５とアースとの間で連結される。
【００２２】
第３のデバイス２３０の第１の入力２３１は、ｐチャネルＦＥＴ２３４のゲートのような第１のスイッチング要素の制御端子に連結される。第３のデバイスの第２の入力は、ｎチャネルＦＥＴ２３５のゲートのような第２のスイッチング要素の制御端子に連結される。ｐチャネルＦＥＴ２３４及びｎチャネルＦＥＴ２３５は、出力２３３に連結される。第１のバイアストランジスタ２３７のような第１のバイアス要素は、電源とｐチャネルＦＥＴ２３４との間で連結される。第２のバイアストランジスタ２３８のような第２のバイアス要素は、ｎチャネルＦＥＴ２３５とアースとの間で連結される。
【００２３】
動作の間中、デバイス２１０，２２０，２３０の少なくとも１つが電流を吐き出して（ソースして）もよいし、デバイス２１０，２２０，２３０の少なくとも２つが電流を吸い込んで（シンクして）もよいし、デバイス２１０，２２０，２３０の少なくとも３つが高インピーダンス（high-Z）状態であってもよい。例証されるように、“０”信号が第１のデバイス２１０の入力２１１及び２１２に提供されるとき、ｐチャネルＦＥＴ２１４はオンであり、ｎチャネルＦＥＴ２１５はオフであり、第１のデバイス２１０は出力２１３で電流２１６を吐き出す（ソースする）。“１”信号が第２のデバイス２２０の入力２２１及び２２２に提供されるとき、ｐチャネルＦＥＴ２２４はオフであり、ｎチャネルＦＥＴ２２５はオンであり、第２のデバイス２２０は出力２１３で電流２２６を吸い込む（シンクする）。“１”信号が第３の送信機２３０の第１の入力２３１で受信され、“０”信号が第３の送信機２３０の第２の入力２３２で受信されるとき、ｐチャネルＦＥＴ２３４及びｎチャネルＦＥＴ２３５の両者はオフであり、出力２３３は高インピーダンス状態である。
【００２４】
特定の実施形態において、各デバイス２１０，２２０，２３０の動作上の状態間でのスイッチングポイントが、入力制御信号ｐバイアス及びｎバイアスを調整することによって、それぞれのバイアス要素２１７−２１８，２２７−２２８，２３７−２３８によって調整されてもよい。例えば、デバイス２１０，２２０，２３０は、図１の受信機１５０，１６０，１７０に含まれてもよいし、特定の動作状態を示すためのデコーダ１８０に一致する出力を提供するために、表１に示した入力電圧レベルに反応するように構成されてもよい。
【００２５】
図３を参照して、多元送信機システムを含む電子デバイスの特定の例証となる実施形態のブロック図が描かれ、３００に一般的に示される。電子デバイス３００は、ディジタル信号プロセッサ（ＤＳＰ）のような、処理回路３１０及びディスプレイ３２８を含む。直列インターフェース３６０は、処理回路３１０及びディスプレイ３２８に連結され、ディスプレイ３２８にマルチメディアデータを提供するために適合させられる。直列インターフェース３６０は、処理回路３１０に連結したエンコーダ３６２を含む。少なくとも３つの受信機３７０が、エンコーダ３６２に連結され、少なくとも３つの送信機３６４から少なくとも３つの線３６６によって信号を受信するように構成される。デコーダ３７２は、受信機３７０及びディスプレイ３２８に連結される。少なくとも３つの線３６６は、Ｙ型終端３６８をもつ。
【００２６】
直列インターフェース３６０は、動作の間中、少なくとも２つの送信機３６４がアクティブであり、少なくとも１つの送信機３６４が非アクティブであるように構成される。例証となる実施形態において、直列インターフェース３６０は、図１及び２に例証したシステムのコンポーネントを含んでもよい。
【００２７】
図３は、処理回路３１０に連結されてもよいコーダ／デコーダ（ＣＯＤＥＣ）３３４も示す。スピーカ３３６及びマイクロフォン３３８は、ＣＯＤＥＣ３３４に連結されてもよい。
【００２８】
図３は、ワイヤレス制御装置３４０が処理回路３１０及びワイヤレスアンテナ３４２に連結されてもよいことも示す。特定の実施形態において、入力デバイス３３０及び電源３４４は、オンチップシステム３２２に連結される。更に、特定の実施形態において、図３に例証されるように、ディスプレイ３２８、入力デバイス３３０、スピーカ３３６、マイクロフォン３３８、ワイヤレスアンテナ３４２及び電源３４４は、オンチップシステム３２２の外部にある。しかしながら、各々が、例えば、インターフェースまたは制御装置のようなオンチップシステム３２２のコンポーネントに連結されてもよい。例えば、入力デバイス３３０は、ディスプレイ３２８に連結されるように示した直列インターフェース３６０のような直列インターフェースによって処理回路３１０に連結されてもよい。
【００２９】
図４を参照して、多元送信機システムを含む電子デバイスの別の例証となる実施形態のブロック図が描かれ、４００に一般的に示される。電子デバイス４００は、ディジタル信号プロセッサ（ＤＳＰ）のようなイメージ検出デバイス４２８及びデータ処理回路４１０を含む。直列インターフェース４６０は、処理回路４１０及びイメージ検出デバイス４２８に連結される。直列インターフェース４６０は、イメージ検出デバイス４２８及び少なくとも３つの送信機４６４に連結したエンコーダ４６２を含む。送信機４６４は、多元回線４６６によって受信機４７０に連結される。受信機４７０は、データ処理回路４１０に連結されるデコーダ４７２に連結される。動作の間中、少なくとも２つの送信機４６４がアクティブであり、送信機４６４の少なくとも１つが非アクティブである。
【００３０】
直列インターフェース４６０は、イメージ検出デバイス４２８とデータ処理回路４１０との間でビデオデータを送信するように構成されてもよい。特定の実施形態において、イメージ検出デバイス４２８は、データ処理回路４１０から遠く離れている。例えば、イメージ検出デバイス４２８はディジタルビデオカメラを含んでもよいし、直列インターフェース４６０はメモリ４３２での記憶のためにデータ処理回路４１０にディジタルビデオカメラで取り込んだデータを送信してもよい。
【００３１】
特定の実施形態において、デバイス４００は、データ処理回路４１０に各々連結し、システム・オン・チップ（ＳＯＣ）またはシステム・イン・パッケージ（ＳｉＰ）構成をもつシステム４２２内のデータ処理回路４１０にパッケージした、ＣＯＤＥＣ４３４及びワイヤレス制御装置４４０を更に含む。一またはそれ以上のスピーカ４３６またはマイクロフォン４３８は、システム４２２の外部にあってもよいし、ＣＯＤＥＣ４３４に連結されてもよい。アンテナ４４２もシステム４２２の外部にあってもよいし、ワイヤレス制御装置４４０に連結されてもよい。加えて、入力デバイス４３０及び電源４４４は、システム４２２の一またはそれ以上のコンポーネントに連結されてもよい。特定の実施形態において、直列インターフェース４６０のような多元送信機を用いる直列インターフェースは、入力デバイス４３０のような、デバイス４００の一またはそれ以上のその他のコンポーネントに連結されてもよい。
【００３２】
図５を参照して、多元送信機システムの動作状態の特定の例証となる実施形態の一般的な図が描かれ、５００に一般的に示される。第１の状態５０２、第２の状態５０４、第３の状態５０６、第４の状態５０８、第５の状態５１０及び第６の状態５１２は、多元送信機システムの動作状態を各々表してもよい。矢印は、動作状態間の許容可能な推移を示す。特定の実施形態において、動作状態５０２−５１２は、電流を吐き出す（ソースする）１つの送信機、電流を吸い込む（シンクする）１つの送信機及び高インピーダンス（high-Z）状態の１つの送信機をもつ図１−２に例証した多元送信機システムの状態、図３−４に例証した直列インターフェース３６０あるいは４６０の状態またはそれらの任意の組み合わせであってもよい。例証となる実施形態において、動作状態５０２−５１２は、表１に示した動作状態に一致する。
【００３３】
各状態５０２−５１２は、Ａ，Ｂ，Ｃと名付けた３つの送信回線に沿った電流の方向を示す。例証となる実施形態において、送信回線Ａ，Ｂ，Ｃは、図１の送信回線１３０，１３２，１３４に一致する。第１の状態５０２は、送信回線Ｃから送信回線Ｂへの電流を含むが、送信回線Ａを含まない動作状態を表す。第２の状態５０４は、送信回線Ｂから送信回線Ｃへの電流を含むが、送信回線Ａを含まない動作状態を表す。第３の状態５０６は、送信回線Ａから送信回線Ｂへの電流を含むが、送信回線Ｃを含まない動作状態を表す。第４の状態５０８は、送信回線Ｂから送信回線Ａへの電流を含むが、送信回線Ｃを含まない動作状態を表す。第５の状態５１０は、送信回線Ｃから送信回線Ａへの電流を含むが、送信回線Ｂを含まない動作状態を表す。第６の状態５１２は、送信回線Ａから送信回線Ｃへの電流を含むが、送信回線Ｂを含まない動作状態を表す。
【００３４】
例証されるように、推移は任意の状態５０２−５１２から任意の状態５０２−５１２に生じ得るが、自己推移は生じ得ない。例えば、第１のクロック周期の間、第１の状態５０２にあるシステムは、次のクロック周期の間、第１の状態５０２のままであってもよい。各クロック周期の状態間での推移を強制することによって、クロック信号は送信データ内に埋め込まれる。クロック信号は、自己推移を妨げる送信機によって埋め込まれてもよいし、前の状態及び次の状態、換言すると、シンボル周期毎の特有の状態、とは異なる各状態にエンコードする送信機によって埋め込まれてもよい。クロックシンボルは、エッジ検出装置及び排他的論理和（ＸＯＲ）ロジックを用いることによって、受信機により取り戻されてもよい。５つの推移が各状態から利用可能であるので、クロック信号に加えて、約２．３データビットが各推移によって表されてもよい。自己推移を許容するが、クロック信号を埋め込まない別の実施形態において、６つの推移は各状態から利用可能であり、それゆえ約２．５データビットが各推移に表され得る。
【００３５】
図６を参照して、多元送信機システムを動作させる方法の特定の例証となる実施形態のフロー図が描かれる。６０２において、特定の実施形態において、受信信号は、複数の予め定義された状態のうちの少なくとも１つの予め定義された状態にエンコードされる。予め定義された情報の各々は、第１の送信機での第１の極性、第２の送信機での第２の極性及び第３の送信機での非アクティブの異なる組み合わせを表す。例証となる実施形態において、予め定義された状態は図５に例証した動作状態を含む。第１の極性及び第２の極性は、それぞれの送信機での電流の方向を示す。例えば、第１の送信機での第１の極性は、第１の送信機が電流を吐き出している（ソースしている）ことを示してもよいし、第２の送信機での第２の極性は、第２の送信機が電流を吸い込んでいる（シンクしている）ことを示してもよい。
【００３６】
続いて６０４において、少なくとも２つの送信機が選択的にアクティブにされ、少なくとも１つの送信機が、少なくとも２つの別個の回線によってデータを送信するために直列インターフェースで非アクティブにされる。続いて６０６において、特定の実施形態において、クロック信号が、少なくとも２つの別個の回線によって送信されるデータ内に埋め込まれる。
【００３７】
特定の実施形態において、複数の予め定義された状態は、第１の送信機で第１の極性、第２の送信機で第２の極性及び第３の送信機で非アクティブをもつ第１の状態、第１の送信機で第２の極性、第２の送信機で第１の極性及び第３の送信機で非アクティブをもつ第２の状態、第１の送信機で非アクティブ、第２の送信機で第１の極性及び第３の送信機で第２の極性をもつ第３の状態、第１の送信機で非アクティブ、第２の送信機で第２の極性及び第３の送信機で第２の極性をもつ第４の状態、第１の送信機で第１の極性、第２の送信機で非アクティブ及び第３の送信機で第２の極性をもつ第５の状態、そして第１の送信機で第２の極性、第２の送信機で非アクティブ及び第３の送信機で第１の極性をもつ第６の状態を含む。例証となる非限定的な例として、第１の極性、第２の極性及び非アクティブは、図２に例証したデバイス２１０，２２０，２３０によって実行されてもよいように、３つの状態送信機の状態に関連してもよい。別の実施形態において、複数の予め定義された状態は、第４の送信機で第１の極性または第２の極性をもつ、第４の送信機が非アクティブである、またはそれらの任意の組み合わせである、一またはそれ以上の状態を含んでもよい。
【００３８】
図７を参照して、多元送信機からデータ信号を受信する方法の特定の例証となる実施形態のフロー図が描かれる。７０２において、第１のデータ信号は、マルチ送信機システムから受信される。受信されたデータ信号は、第１の送信機からの第１の信号及び第２の送信機からの第２の信号を備える。なお、第３の送信機は非アクティブである。例証となる非限定的な例として、第１の信号は第１の極性をもつ電流を含んでもよいし、第２の信号は第２の極性をもつ電流を含んでもよい。
【００３９】
７０４に進み、特定の実施形態において、第１の信号と第２の信号との間での状態推移が決定される。続いて７０６において、特定の実施形態において、データ値は、状態推移に基づいてデコードされる。例証となる実施形態において、状態推移が、図１に例証したデコーダ１８０のようなデコーダによって決定される。デコーダは、ルックアップ表を用いてデータ値をデコードしてもよいし、状態推移によって表された多元データビットを出力してもよい。特定の実施形態において、第１のデータ信号及び第２のデータ信号は、シリアライズ／デシリアライズユニットの受信機部でデコードされ、受信される。
【００４０】
上述したシステム及び方法に関して、システムは、少なくとも３つの送信機から少なくとも３つの線によって信号を受信するように構成される少なくとも３つの受信機を含む、直列送信手段を含んでもよい。なお、少なくとも２つの送信機はアクティブであり、少なくとも１つの送信機は非アクティブである。例えば、直列送信手段は、図３に例証した処理回路３１０及びディスプレイ３２８に連結した直列インターフェース３６０を含んでもよい。別の例として、直列送信手段は、図１に例証したシステム１００の全てあるいは一部、図２に例証したシステム２００の全てあるいは一部、またはそれらの任意の組み合わせを含んでもよい。更なる別の例として、直列送信手段は、図４に例証した直列インターフェース４６０を含んでもよい。直列送信手段は、図５に例証したような動作状態間での推移及び動作状態を含んでもよい、又は、図６あるいは図７に例証した方法またはそれらの任意の組み合わせを実行してもよい。
【００４１】
当業者は更に、本明細書における開示に関連して記載された、実例となる様々な論理ブロック、構成、モジュール、回路、及びアルゴリズムステップが、電子工学的ハードウェア、コンピュータソフトウェア、又はそれらの組み合わせとして実現されうることをよく理解するであろう。ハードウェアとソフトウェアとの相互置換性を明確に説明するために、様々な実例となる構成要素、ブロック、構成、モジュール、回路、及びステップが、それらの機能の観点から一般的に説明された。このような機能が、ハードウェアとして実現されるかソフトウェアとして実現されるかは、システム全体に課された設計制約及び特定のアプリケーションによる。当業者は、各特定のアプリケーションのために上述した機能を様々な方法で実現することができるが、このような実現の決定は、本開示の範囲から逸脱させるものとして解釈されてはならない。
【００４２】
本明細書における開示に関連して記述された方法やアルゴリズムのステップは、ハードウェアによって直接、プロセッサによって実行されるソフトウェア・モジュールによって、又は、これらの組み合わせによって具現化されうる。ソフトウェア・モジュールは、ランダムアクセスメモリ（ＲＡＭ）、フラッシュ・メモリ、読出し専用メモリ（ＲＯＭ）、消去可能プログラマブル読出し専用メモリ（ＥＰＲＯＭ）、電気的消去可能プログラマブル読出し専用メモリ（ＥＥＰＲＯＭ）、レジスタ、ハード・ディスク、リムーバブル・ディスク、コンパクトディスク読出し専用メモリ（ＣＤ−ＲＯＭ）、あるいは当該技術分野で知られているその他任意の形式の記憶媒体に収納されうる。典型的な記憶媒体は、プロセッサがそこから情報を読み取り、またそこに情報を書き込むことができるように、プロセッサに統合されうる。このプロセッサと記憶媒体とは、特定用途向け集積回路（ＡＳＩＣ）内に存在することができる。ＡＳＩＣは、計算デバイスまたはユーザ端末内に存在することができる。あるいはこのプロセッサと記憶媒体とは、計算デバイスまたはユーザ端末内のディスクリート部品として存在することができる。
【００４３】
本開示における上記記載は、当業者をして、本開示の製造又は利用を可能とするために提供される。本開示への様々な変形例もまた、当業者には明らかであり、本明細書で定義された一般原理は、本発明の精神又は範囲から逸脱することなく他の実施形態にも適用されうる。従って本開示は、本明細書に示された実施形態に限定することは意図されておらず、以下の特許請求の範囲によって定義されるような原理及び新規特徴と整合が取れた最も広い範囲と可能な限り一致するように意図されている。
【図１】
2011517159.tif 000004
【図２】
2011517159.tif 000005
【図３】
2011517159.tif 000006
【図４】
2011517159.tif 000007
【図５】
2011517159.tif 000008
【図６】
2011517159.tif 000009
【図７】
2011517159.tif 000010
【国際調査報告】
2011517159.tif 000011
2011517159.tif 000012
2011517159.tif 000013